(57)【特許請求の範囲】
【請求項１】
電線群の外周に水硬性を有する水硬性テープを巻き付けたワイヤーハーネスを製造するワイヤーハーネスの製造方法であって、
電線群の外周に前記水硬性テープを巻き付けるテープ巻付工程と、
前記電線群の外周に巻き付けられた前記水硬性テープを長尺状の管体により被覆する管体被覆工程と、
前記水硬性テープに液体を吸収させる液体吸収工程と、
金型を用いて前記管体が装着された前記ワイヤーハーネスを所定の形状に硬化するテープ硬化工程と
を含むことを特徴とするワイヤーハーネスの製造方法。
【請求項２】
請求項１に記載のワイヤーハーネスの製造方法であって、
前記液体吸収工程は、前記テープ巻付工程から前記管体被覆工程までの間で行われることを特徴とするワイヤーハーネスの製造方法。
【請求項３】
請求項１に記載のワイヤーハーネスの製造方法であって、
前記液体吸収工程は、前記管体が装着された前記ワイヤーハーネスを前記金型にセットした後に行われることを特徴とするワイヤーハーネスの製造方法。
【請求項４】
電線群の外周に水硬性を有する水硬性テープが巻き付けられたワイヤーハーネスであって、
前記水硬性テープを被覆する長尺状の管体を備えることを特徴とするワイヤーハーネス。
【請求項５】
請求項４に記載のワイヤーハーネスであって、
前記管体は、樹脂材、金属材及びゴム材の何れかによって形成されることを特徴とするワイヤーハーネス。
【発明の詳細な説明】
【技術分野】
【０００１】
本発明は、自動車等の車両に搭載される電装機器の配線に用いられるワイヤーハーネス及びワイヤーハーネスの製造方法に関する。
【背景技術】
【０００２】
従来から、自動車等の車両に搭載される電装機器の配線に用いられるワイヤーハーネスを保護及び方向規制するために、様々な提案がなされている。
【０００３】
例えば、ワイヤーハーネスを構成する電線群の外周に水硬性テープを巻き付け、水硬性テープに水などの液体を吸収させた後、水硬性テープを巻き付けた部分を金型のキャビティに挿入して所定の形状に硬化したワイヤーハーネスの製造方法が開示されている（例えば、特許文献１参照）。
【０００４】
このワイヤーハーネスの製造方法では、水硬性テープを巻き付けた部分を金型のキャビティに挿入した状態で、水硬性テープに水を吸収させることによって所定の形状に硬化させることもできる。
【先行技術文献】
【特許文献】
【０００５】
【特許文献１】特開２００８−２２６５８７号公報
【発明の概要】
【発明が解決しようとする課題】
【０００６】
しかしながら、上述した従来のワイヤーハーネスの製造方法では、電線群のサイズ（例えば、本数や太さ）に対応するギャビティが形成された金型が複数必要となってしまうため、製造コストが増大してしまうという問題があった。
【０００７】
また、水硬性テープが電線群の外周に単に巻き付けられているため、車両にワイヤーハーネスが配索された状態において雨水や泥等が水硬性テープに付着してしまうことがあり、水硬性テープの強度が低下する可能性があった。特に、車両の振動等の衝撃により車両の一部と接触することに伴って水硬性テープの端部（角部）などが欠ける現象（いわゆる、チッピング）が生じることも想定でき、チッピングに対する強度をも低下してしまうおそれがあった。
【０００８】
そこで、本発明は、製造コストを低減でき、水硬性テープの強度の低下を抑制できるワイヤーハーネス及びワイヤーハーネスの製造方法の提供を目的とする。
【課題を解決するための手段】
【０００９】
上述した課題を解決するため、本発明は、次のような特徴を有している。まず、本発明の第１の特徴は、電線群（電線群１０）の外周に水硬性を有する水硬性テープ（水硬性テープ２０）を巻き付けたワイヤーハーネス（ワイヤーハーネス１）製造するワイヤーハーネスの製造方法であって、電線群の外周に前記水硬性テープを巻き付けるテープ巻付工程と、前記電線群の外周に巻き付けられた前記水硬性テープを長尺状の管体（コルゲートチューブ３０）により被覆する管体被覆工程（チューブ装着工程）と、前記水硬性テープに液体を吸収させる液体吸収工程と、金型（金型５０）を用いて前記管体が装着された前記ワイヤーハーネスを所定の形状に硬化するテープ硬化工程とを含むことを要旨とする。
【００１０】
かかる特徴によれば、電線群の外周に巻き付けられた水硬性テープを長尺状の管体で被覆し、その後、水硬性テープに液体を吸収させて、金型を用いて管体が装着されたワイヤーハーネスを所定の形状に硬化している。これにより、電線群のサイズ（例えば、本数や太さ）毎に対応するギャビティが形成された金型を複数必要とせずに、管体のサイズ毎に対応するキャビティが形成された金型のみで済む。つまり、管体は、電線群よりもサイズの種類が少ないため、必要な金型が少なくて済む。このため、金型の設計が容易となり、製造コストを低減できる。加えて、水硬性テープが金型のギャビティに直接接触することがないため、金型のキャビティが汚れにくく、金型のメンテナンスをも容易となる。
【００１１】
また、水硬性テープが管体で被覆されるため、車両にワイヤーハーネスが配索された状態において、雨水や泥等が水硬性テープに付着してしまうことを防止できる。このため、水硬性テープの強度の低下を抑制でき、特に、チッピングが生じることも防止できるので、チッピングに対する強度の低下をも抑制できる。
【００１２】
本発明の第２の特徴は、本発明の第１の特徴に係り、前記液体吸収工程は、前記テープ巻付工程から前記管体被覆工程までの間で行われることを要旨とする。
【００１３】
かかる特徴によれば、水硬性テープに管体を装着する前に、水硬性テープに液体を吸収させている。つまり、管体が装着されたワイヤーハーネスを金型にセットする前に、水硬性テープに液体を吸収させている。これにより、金型内に液体が通過可能な液体供給通路を形成する必要がないため、金型の製造コストをさらに低減でき、金型のメンテナンスをもさらに容易となる。
【００１４】
本発明の第３の特徴は、本発明の第１の特徴に係り、前記液体吸収工程は、前記管体が装着された前記ワイヤーハーネスを前記金型にセットした後に行われることを要旨とする。
【００１５】
かかる特徴によれば、管体が装着されたワイヤーハーネスを金型にセットした後に、水硬性テープに液体を吸収させている。この場合、所望の箇所のみに液体を流すために、予め金型内に液体が通過可能な液体供給通路が形成されていることが好ましい。これにより、ワイヤーハーネスを金型にセットするまでは水硬性テープに液体を吸収させていないため、ワイヤーハーネスを金型にセットする前に水硬性テープが硬化してしまうことを防止できる。
【００１６】
本発明の第４の特徴は、電線群の外周に水硬性を有する水硬性テープが巻き付けられたワイヤーハーネスであって、前記水硬性テープを被覆する長尺状の管体を備えることを要旨とする。
【００１７】
かかる特徴によれば、管体が電線群の外周に巻き付かれた水硬性テープを被覆していることによって、車両にワイヤーハーネスが配索された状態において、雨水や泥等が水硬性テープに付着してしまうことを防止できる。このため、水硬性テープの強度の低下を抑制でき、特に、チッピングに対する強度の低下をも抑制できる。
【００１８】
本発明の第５の特徴は、本発明の第４の特徴に係り、前記管体は、樹脂材、金属材及びゴム材の何れかによって形成されることを要旨とする。
【００１９】
かかる特徴によれば、樹脂材、金属材及びゴム材の何れか（例えば、コルゲートチューブ）によって形成されることによって、雨水や泥等が管体に付着してしまっても、管体に付着した雨水や泥等を容易に洗い流すことができる。加えて、管体を車体に取り付ける際には、既存の車体取付用クリップ等を用いることができ、別途クリップを製造することなく、製造コストの低減にも寄与する。
【００２０】
その上、管体にコルゲートチューブ等が用いられることによって、水硬性テープが露出されている場合と比べて外観性や視認性を向上させることが可能であるとともに、特に、高圧用のワイヤーハーネスであること（例えば、橙色）を識別させることも可能となる。
【発明の効果】
【００２１】
本発明の特徴によれば、製造コストを低減でき、水硬性テープの強度の低下を抑制できるワイヤーハーネス及びワイヤーハーネスの製造方法を提供することができる。
【図面の簡単な説明】
【００２２】
【図１】図１は、本実施形態に係るワイヤーハーネス１の一部を示す斜視図である。
【図２】図２は、本実施形態に係るワイヤーハーネスの製造方法を説明するための図である（その１）。
【図３】図３は、本実施形態に係るワイヤーハーネスの製造方法を説明するための図である（その２）。
【発明を実施するための形態】
【００２３】
次に、本発明に係るワイヤーハーネス及びワイヤーハーネスの製造方法の実施形態について、図面を参照しながら説明する。具体的には、（１）ワイヤーハーネスの構成、（２）ワイヤーハーネスの製造方法、（３）作用・効果、（４）その他の実施形態について説明する。
【００２４】
なお、以下の図面の記載において、同一または類似の部分には、同一または類似の符号を付している。ただし、図面は模式的なものであり、各寸法の比率などは現実のものとは異なることに留意すべきである。
【００２５】
したがって、具体的な寸法などは以下の説明を参酌して判断すべきである。また、図面相互間においても互いの寸法の関係や比率が異なる部分が含まれ得る。
【００２６】
（１）ワイヤーハーネスの構成
まず、本実施形態に係るワイヤーハーネスの製造方法によって製造されるワイヤーハーネス１の構成について、図面を参照しながら説明する。図１は、本実施形態に係るワイヤーハーネス１の一部を示す斜視図である。
【００２７】
図１に示すように、ワイヤーハーネス１では、電線群１０の外周に水硬性を有する水硬性テープ２０が巻き付けられており、水硬性テープ２０が長尺状の管体としてのコルゲートチューブ３０によって被覆されている。
【００２８】
水硬性テープ２０は、水が吸収されることによって硬化されるようになっており、電線群１０の保護及び方向規制する。水硬性テープ２０は、少なくとも電線群１０が屈曲する部分に巻き付けられる。水硬性テープ２０は、例えば、ガラス繊維にポリウレタン樹脂を含浸させたテープによって構成されている。
【００２９】
コルゲートチューブ３０は、外周面に複数の凹凸が設けられた略円筒状の樹脂材によって形成されている。なお、コルゲートチューブ３０は、コルゲートチューブ３０の長手方向に沿ったスリット（不図示）が形成されていてもよい。
【００３０】
（２）ワイヤーハーネスの製造方法
次に、上述したワイヤーハーネス１を製造するワイヤーハーネスの製造方法について、図面を参照しながら説明する。図２及び図３は、本実施形態に係るワイヤーハーネスの製造方法を説明するための図である。
【００３１】
ワイヤーハーネスの製造方法は、テープ巻付工程と、液体吸収工程と、チューブ装着工程（管体被覆工程）と、テープ硬化工程とを含んでいる。
【００３２】
図２（ａ）に示すように、テープ巻付工程では、電線群１０の外周に水硬性テープ２０を巻き付ける。次いで、図２（ｂ）に示すように、液体吸収工程では、電線群１０の外周に巻き付けられた水硬性テープ２０に向かって水等の液体を噴射させ、水硬性テープ２０に液体を吸収させる。次いで、図２（ｃ）に示すように、チューブ装着工程では、電線群１０群の外周に巻き付けられた水硬性テープ２０をコルゲートチューブ３０により被覆する。
【００３３】
その後、図３に示すように、金型５０を用いてコルゲートチューブ３０が装着されたワイヤーハーネス１（水硬性テープ２０）を所定の形状に硬化する。なお、金型５０は、下側金型５１と、上側金型５２とを備えており、下側金型５１及び上側金型５２には、水硬性テープ２０を所定の形状（屈曲形状）に形成するためのキャビティ５１Ａ，５２Ａがそれぞれ形成されている。このキャビティ５１Ａ，５２Ａに水硬性テープ２０が巻き付けられたワイヤーハーネス１を装着して、ワイヤーハーネス１（水硬性テープ２０）を所定の形状に硬化している。
【００３４】
（３）作用・効果
以上説明した本実施形態では、電線群１０の外周に巻き付けられた水硬性テープ２０をコルゲートチューブ３０で被覆し、その後、水硬性テープ２０に液体を吸収させて、金型５０を用いてコルゲートチューブ３０が装着されたワイヤーハーネス１を所定の形状に硬化している。これにより、電線群１０のサイズ（例えば、本数や太さ）毎に対応するギャビティが形成された金型を複数必要とせずに、コルゲートチューブ３０のサイズ毎に対応するキャビティ５１Ａ，５２Ａが形成された金型５０のみで済む。つまり、コルゲートチューブ３０は、電線群１０よりもサイズの種類が少ないため、必要な金型５０が少なくて済む。このため、金型５０の設計が容易となり、製造コストを低減できる。加えて、水硬性テープ２０が金型５０のキャビティ５１Ａ，５２Ａに直接接触することがないため、金型５０のキャビティ５１Ａ，５２Ａが汚れにくく、金型５０のメンテナンスをも容易となる。
【００３５】
また、水硬性テープ２０が管体で被覆されるため、車両にワイヤーハーネス１が配索された状態において、雨水や泥等が水硬性テープ２０に付着してしまうことを防止できる。このため、水硬性テープ２０の強度の低下を抑制でき、特に、チッピングが生じることも防止できるので、チッピングに対する強度の低下をも抑制できる。
【００３６】
本実施形態では、水硬性テープ２０にコルゲートチューブ３０を装着する前に、水硬性テープ２０に液体を吸収させている。つまり、コルゲートチューブ３０が装着されたワイヤーハーネス１を金型にセットする前に、水硬性テープ２０に液体を吸収させている。これにより、金型５０内に液体が通過可能な液体供給通路を形成する必要がないため、金型５０の製造コストをさらに低減でき、金型５０のメンテナンスをもさらに容易となる。
【００３７】
ここで、液体吸収工程は、テープ巻付工程からチューブ装着工程までの間で行われるものとして説明したが、これに限定されるものではなく、コルゲートチューブ３０が装着されたワイヤーハーネス１を金型５０のキャビティ５１Ａ，５２Ａにセットした後に行われてもよい。すなわち、コルゲートチューブ３０が装着されたワイヤーハーネス１を金型５０にセットした後に水硬性テープ２０に液体を吸収させてもよい。この場合、所望の箇所のみに液体を流すために、予め金型５０内に液体が通過可能な液体供給通路（不図示）が形成されていることが好ましい。これにより、ワイヤーハーネス１を金型５０にセットするまでは水硬性テープ２０に液体を吸収させていないため、ワイヤーハーネス１を金型５０にセットする前に水硬性テープ２０が硬化してしまうことを防止できる。
【００３８】
本実施形態では、管体が外周面に複数の凹凸が設けられた樹脂材からなるコルゲートチューブ３０によって形成されることによって、雨水や泥等がコルゲートチューブ３０に付着してしまっても、コルゲートチューブ３０に付着した雨水や泥等を容易に洗い流すことができる。加えて、コルゲートチューブ３０を車体に取り付ける際には、既存の車体取付用クリップ等を用いることができ、別途クリップを製造することなく、製造コストの低減にも寄与する。
【００３９】
その上、管体としてコルゲートチューブ３０が用いられることによって、水硬性テープ２０が露出されている場合と比べて外観性や視認性を向上させることが可能であるとともに、特に、高圧用のワイヤーハーネスであること（例えば、橙色）を識別させることも可能となる。
【００４０】
（４）その他の実施形態
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００４１】
例えば、本発明の実施形態は、次のように変更することができる。具体的には、管体としては、コルゲートチューブ３０（外周面に複数の凹凸が設けられた略円筒状の樹脂材）であるものとして説明したが、これに限定されるものではない。例えば、管体としては、外周面に複数の凹凸が設けられた金属材及びゴム材の何れかであってもよく、また、外周面に凹凸を有しない樹脂材、金属材及びゴム材の何れかからなるチューブであってもよく、水硬性テープ２０を覆うものであればよい。
【００４２】
また、コルゲートチューブ３０は、略円筒状に形成されるものとして説明したが、これに限定されるものではなく、その他の形状（例えば、楕円形状）に形成されていてもよい。加えて、コルゲートチューブ３０には、コルゲートチューブ３０の長手方向に沿ったスリット（不図示）が形成されていてもよい。
【００４３】
また、液体吸収工程は、テープ巻付工程からチューブ装着工程までの間で行われることや、ワイヤーハーネス１を金型５０にセットした後に行われるものとして説明したが、これに限定されるものではなく、例えば、チューブ装着工程からテープ硬化工程までの間に行われてもよい。
【００４４】
このように、本発明は、ここでは記載していない様々な実施の形態などを含むことは勿論である。したがって、本発明の技術的範囲は、上述の説明から妥当な特許請求の範囲に係る発明特定事項によってのみ定められる。
【符号の説明】
【００４５】
１…ワイヤーハーネス
１０…電線群
２０…水硬性テープ
３０…コルゲートチューブ（管体）
５０…金型
【図１】
0005872906.tif 000002
【図２】
0005872906.tif 000003
【図３】
0005872906.tif 000004